(57)【要約】      この発明は物品を洗濯する方法及び装置に関する。この方法と装置は回転する構成要素の無い収容体（２９）内で衣服及びその他の品目を効果的に洗浄し乾燥することができる。一好適実施例では、これは洗濯物品を入れる少なくとも一つの収容体（２９）を設けることにより達成され、収容体（２９）は個々の物品を収容する複数の区分を有する。本発明はまた適当な量の水と洗剤を個々の洗濯物品へ指向する複数のスプレイ分配ノズル（１５，１６）を含み、次いで洗濯と濯ぎの所定サイクルを制御する。洗濯物品は個々に洗濯され乾燥されるから、先行技術の洗濯機に伴う皺は顕著に減少し、衣服は骨の折れる、時間のかかるアイロン掛け無しに直ちに着用できる。【選択図】      図１
2008543407.tif 000002
【特許請求の範囲】
【請求項１】
物品を入れる少なくとも一つの収容体であって、個々の物品を収容するための複数の区分を有するものを設けるステップ、
適当な量の水と洗剤を前記個々の物品へ指向する複数のスプレイ分配ノズルを設けるステップ、及び、
洗濯と濯ぎの所定サイクルを制御するステップ
を有してなる、物品を洗濯する方法。
【請求項２】
少なくとも一つの収容体は、物品、水、及び洗剤の混合物を収容する非回転ドラム又はその他の入れ物を有する請求項１に記載の方法。
【請求項３】
少なくとも一つの収容体は、扉又はハッチを経てアクセスできるキャビネット又は容器を有する請求項２に記載の方法。
【請求項４】
個々の物品を収容する複数の区分が、使用において前記物品が吊るされる複数の衣類ハンガとして設けられている前記何れかの請求項に記載の方法。
【請求項５】
前記複数の衣類ハンガのそれぞれは前記少なくとも一つの収容体内でハンガレールへの取り付けを容易にするためのハンガマウントを含む請求項４に記載の方法。
【請求項６】
前記複数の衣類ハンガのそれぞれが、ハンガと前記物品との接触面積を最小化するためにその表面に位置する複数の開口を有する請求項４又は５に記載の方法。
【請求項７】
前記複数のスプレイ分配ノズルは、前記少なくとも一つの収容体の頂部に配置された複数のオーバーヘッドスプレイ分配ノズル、及び前記少なくとも一つの収容体の側部に配置された複数のサイドスプレイ分配ノズルを有する前記何れかの請求項に記載の方法。
【請求項８】
前記複数のスプレイ分配ノズルの位置が、汚れや垢が蓄積する可能性が最も大きい前記物品の部域に前記適当な量の水と洗剤がふんだんに供給されることを確実にする請求項７に記載の方法。
【請求項９】
前記複数のスプレイ分配ノズルのそれぞれが、表面に種々の開口が配置され、前記適当な量の水と洗剤を前記個々の物品へ指向するのに使用される細長い管状部材を有する前記何れかの請求項に記載の方法。
【請求項１０】
所定の乾燥サイクルを制御するステップを更に含む前記何れかの請求項に記載の方法。
【請求項１１】
物品を入れる少なくとも一つの収容体であって、個々の物品を収容するための複数の区分を有するもの、
適当な量の水と洗剤を前記個々の物品へ指向する複数のスプレイ分配ノズル、及び
洗濯と濯ぎの所定サイクルを制御するための制御手段
を有してなる、物品を洗濯する装置。
【請求項１２】
少なくとも一つの収容体は、物品、水、及び洗剤の混合物を収容する非回転ドラム又はその他の入れ物を有する請求項１１に記載の装置。
【請求項１３】
少なくとも一つの収容体は、扉又はハッチを経てアクセスできるキャビネット又は容器を有する請求項１２に記載の装置。
【請求項１４】
個々の物品を収容する複数の区分が、使用において前記物品が吊るされる複数の衣類ハンガとして設けられている前記何れかの請求項に記載の装置。
【請求項１５】
前記複数の衣類ハンガのそれぞれは前記少なくとも一つの収容体内でハンガレールへの取り付けを容易にするためのハンガマウントを含む請求項１４に記載の装置。
【請求項１６】
前記複数の衣類ハンガのそれぞれが、ハンガと前記物品との接触面積を最小化するためにその表面に位置する複数の開口を有する請求項１４又は１５に記載の装置。
【請求項１７】
前記複数のスプレイ分配ノズルは、前記少なくとも一つの収容体の頂部に配置された複数のオーバーヘッドスプレイ分配ノズル、及び前記少なくとも一つの収容体の側部に配置された複数のサイドスプレイ分配ノズルを有する前記何れかの請求項に記載の装置。
【請求項１８】
前記複数のスプレイ分配ノズルの位置が、汚れや垢が蓄積する可能性が最も大きい前記物品の部域に前記適当な量の水と洗剤がふんだんに供給されることを確実にする請求項１７に記載の方法。
【請求項１９】
前記複数のスプレイ分配ノズルのそれぞれが、表面に種々の開口が配置され、前記適当な量の水と洗剤を前記個々の物品へ指向するのに使用される細長い管状部材を有する前記何れかの請求項に記載の装置。
【請求項２０】
前記制御手段は電子機械的装置又は電子式制御装置を用いて実施される前記何れかの請求項に記載の装置。
【請求項２１】
前記物品の総重量を計測するために前記少なくとも一つの収容体内に位置する少なくとも一つの歪ゲージ又はその他の変換器を更に含む前記何れかの請求項に記載の装置。
【請求項２２】
前記少なくとも一つの歪ゲ−ジ又はその他の変換器の出力は、次いで好適な洗剤量と濃度を決めると共に洗濯と濯ぎのサイクルの長さとタイプを変更する前記制御手段へ供給される請求項２１に記載の装置。
【請求項２３】
前記制御手段は、従来の素子又はマイクロウエーブシステムを有するヒ−タを用いて、前記少なくとも一つの収容体に入る水の温度を計測し制御する前記何れかの請求項に記載の装置。
【請求項２４】
乾燥サイクル中に前記少なくとも一つの収容体内の空気の圧力、温度、及び湿度を制御するためのエアヒータと除湿器とを更に含む前記何れかの請求項に記載の装置。
【請求項２５】
前記少なくとも一つの収容体に入れた前記物品の極近傍に位置する汚れ検出装置を更に含む前記何れかの請求項に記載の装置。
【請求項２６】
前記汚れ検出器は物品における様々なタイプの汚れ又はしみを、汚れ粒子の大きさ、化学分析又はその他の透過および／または反射パラメータのような特性から識別することができる請求項２５に記載の装置。
【請求項２７】
適当な量の水及び洗剤と共に物品を入れるための少なくとも一つの収容体であって個々の物品を収容するための複数の区分を有するものを設けるステップ、及び
洗濯と濯ぎの所定サイクルを制御するステップ
を有してなる、物品を洗濯する方法。
【請求項２８】
適当な量の水及び洗剤と共に物品を入れるための少なくとも一つの収容体であって個々の物品を収容するための複数の区分を有するもの、及び
洗濯と濯ぎの所定サイクルを制御するための制御手段
を有してなる、物品を洗濯する装置。
【請求項２９】
前述した、物品を洗濯する方法。
【請求項３０】
添付図面の図１ないし７を参照してここで述べた物品を洗濯する装置。
【発明の詳細な説明】
【技術分野】
【０００１】
この発明は物品を洗濯する方法及び装置に関する。この方法と装置は回転する構成要素の無い収容体内で衣服及びその他の品目を効果的に洗浄し乾燥することができる。
【背景技術】
【０００２】
現在、洗濯機は広く使用されている工業用、家庭用の機器であり、ドラム又はその他の機械的装置を利用して洗濯物を水と洗剤の混合物中で撹拌する。一般に、頂部装填式の洗濯機では、別個の撹拌装置が水と洗剤との混合物中で品目をかき混ぜて洗浄を容易ならしめる。洗濯後、ドラムが高速でスピン（回転）して水と洗剤を除去する。次いでバスケットに水が再び入れられ、洗濯物が一連の濯ぎとスピンのサイクルを受ける。一般に、普通の家庭洗濯サイクルでは約１５０リットルの水が使用される。
【０００３】
あるいは、正面装填式洗濯機では正面に扉がありここから作業者が洗濯物と洗剤を投入する。正面装填式洗濯機に水が扉開口の下のレベルまで入り、使用時、ドラムの内側の回りに配置したバッフル又はフィンを用いて品目が転がりながら水に出入りする。再び、品目は回転させられて水と洗剤が除去され、濯がれ、回転乾燥される。一般に、これらの洗濯機は洗剤、電気、水の使用量が少なく、典型的には家庭用正面装填洗濯サイクルで７０ないし９０リットルである。近年、洗濯機と乾燥機とを組み合わせたものが益々流行になっており、このものではスピンサイクル後に、加熱空気が回転ドラムへ通され、衣服を乾燥して放出された水分はポンプでドレンへ送られるか、あるいはリザーバに集められる。
【０００４】
しかし、これら先行技術の洗濯機は洗濯物を撹拌するのにドラム又はその他の機械的装置の回転に依存しているから、振動や不要な運動を制限するために堅固なフレームや平衡錘をしばしば必要とする。このようであるから、これらの機器は非常に重くなる傾向があり、通常床に設置される。これらの理由で、先行技術の洗濯機は一般に台所又はユーティリティ室に配置され、使用場所、例えば寝室や浴室には配置されない。ドラムの容量を小さくして撹拌装置を組み入れることもできよう。また、ガスケットやシールは、かかる回転運動に耐えなければならないものであり、劣化し故障する可能性が大きい。更に、衣服は洗濯乾燥サイクル後に一般に混ざり合うから、皺になる傾向があり、アイロン掛けの仕事を必要とするが、これは時間がかかり、骨の折れる仕事である。
【発明の開示】
【発明が解決しようとする課題】
【０００５】
本発明の目的は、物品を洗濯する方法及び装置を提供することである。前記方法と装置は、適当な量の水と洗剤を入れた収容体内で衣服及びその他の品目の効果的な洗浄及び乾燥を可能とし、収容体内には回転する構成要素がない。一実施例では、個々の物品を収容するための複数の区分（subdivisions）を有する収容体を設けると共に洗濯する物品に適当な量の水と洗剤をスプレイすることにより、溶けた洗剤が物品に接触できるようにされる。他の実施例では、個々の物品を収容するために複数の区分を有する収容体を設けることにより、一連の濯ぎ乾燥サイクルを受ける前に、洗濯する物品を、ある時間、溶解洗剤に浸漬することができる。使用においては、物品は個々に保持されるから、先行技術の洗濯機に通常伴っていた皺は顕著に減少する。
【課題を解決するための手段】
【０００６】
本発明によれば、
【０００７】
物品を入れる少なくとも一つの収容体であって、個々の物品を収容するための複数の区分を有するものを設けるステップ、
【０００８】
適当な量の水と洗剤を前記個々の物品へ指向する複数のスプレイ分配ノズル（spray distribution nozzles）を設けるステップ、及び、
洗濯と濯ぎの所定サイクル（predetermined cycle of washing and rinsing）を制御するステップ
を有してなる、物品を洗濯する方法が提供される。
【０００９】
また、本発明によれば、
【００１０】
物品を入れる少なくとも一つの収容体であって、個々の物品を収容するための複数の区分を有するもの、
【００１１】
適当な量の水と洗剤を前記個々の物品へ指向する複数のスプレイ分配ノズル、及び
【００１２】
洗濯と濯ぎの所定サイクルを制御するための制御手段
を有してなる、物品を洗濯する装置が提供される。
【００１３】
一好適実施例では、個々の物品を収容するための複数の区分を有する収容体を設けることにより物品の効果的な洗浄を容易ならしめることができる。
【００１４】
好ましくは、前記収容体は、物品、水、及び洗剤の混合物を収容する非回転のドラム又はその他の入れ物を有するものとすることができる。このようにして、収容体は扉又はハッチを経てアクセスできるキャビネット又は容器として設けることができる。
【００１５】
更に好ましくは、個々の物品を収容する複数の区分は複数の衣類ハンガとして設けられ、このハンガには、使用時に、適当な量の水と洗剤が物品に接触できるように前記洗濯物品が吊るされ、その後に洗浄と乾燥が行われる。前記複数の衣類ハンガのそれぞれは前記収容体内のハンガレールに対する取り付けを容易にするためのハンガマウント（hanger mount）を有する。前記複数の衣類ハンガのそれぞれは、ハンガと前記物品との接触面積を最小化するために、その表面に複数の開口を有する。
【００１６】
使用において、前記複数のスプレイ分配ノズルは、前記収容体の上部に配置された複数のオーバーヘッドスプレイ分配ノズル、及びシャツ、ブラウス又はプルオーバー若しくはセーターのような衣服のわきの下が位置する可能性がある場所のほぼ近傍に配置されている複数のサイドスプレイ分配ノズルを有するものとすることができる。前記複数のスプレイ分配ノズルの位置は、汚れや垢が蓄積する可能性が最も大きい衣服の部域（即ち、首の回り、わきの下、肩）に前記水と洗剤がふんだんに供給されることを保証する。
【００１７】
好ましくは、前記複数のスプレイ分配ノズルのそれぞれは周囲に各種の開口が配置されて適当な量の水と洗剤を前記個々の物品へ指向するようにした細長い管状部材を有する。
【００１８】
更に好ましくは、電子機械的装置又は電子式制御装置を用いて実行できる制御手段により洗濯サイクルが制御される。洗濯する物品が機械へ装填された際、洗濯サイクルの開始前に、少なくとも一つの歪ゲージ又はその他の変換器を用いてその重量が算定されるものであってもよい。このようにして、続いて、洗濯サイクルの長さとタイプが、作業者による選択に応じ、制御手段により特定の重量の必要条件に合わせて調節されるものとされ得る。次いで作業者は、洗剤をディスペンシングトレイへ加える。かかる洗剤の正しいレベルは洗濯物の特定重量に対応した指示手段により確認されるものであってよい。使用において、前記指示手段はディスペンシングトレイにおける載荷線指示器（load line indicators）を使用して設けることができる。あるいは、自動的に決まる洗剤の量を、かかる洗濯物の重量に応じて石鹸ディスペンサバルブを経て供給できる。
【００１９】
使用において、洗濯サイクルが始まると、制御手段は収容体に入る水の温度を計測し制御する。使用において、収容体に入る水の温度は従来の素子又はマイクロウエーブシステムを用いて加熱される。
【００２０】
好ましくは、洗濯サイクルの完了後に、物品に一連の濯ぎ乾燥サイクルを受けさせるものとすることができる。乾燥中、前記収容体内の空気の圧力、温度、及び湿度は、物品が効果的に乾くように制御されるものとすることができる。
【００２１】
更に好ましくは、汚れ検出装置が、少なくとも一つの収容体に入れた物品の極近傍に位置するようにすることができる。汚れ検出器は、洗濯する物品の様々なタイプの汚れ又はしみを、汚れ粒子の大きさ、化学分析又はその他の透過および／または反射パラメータのような特性から識別できる。汚れ検出装置の出力は、次いで好適な粉末洗剤と濃度を決める制御手段に供給される。
【００２２】
更に本発明によれば、
【００２３】
適当な量の水及び洗剤と共に前記物品を入れるための少なくとも一つの収容体であって個々の物品を収容するための複数の区分を有するものを設けるステップ、及び
【００２４】
洗濯と濯ぎの所定サイクルを制御するステップ
を有してなる、物品を洗濯する方法が提供される。
【００２５】
同様に、本発明によれば、
、この装置は、
【００２６】
適当な量の水及び洗剤と共に前記物品を入れるための少なくとも一つの収容体であって個々の物品を収容するための複数の区分を有するもの、及び
【００２７】
洗濯と濯ぎの所定サイクルを制御するための制御手段
を有してなる、物品を洗濯する装置が提供される。
【００２８】
他の実施例では、個々の物品を入れるための複数の区分を有する開放収容体を設けることにより、物品の効果的な洗浄を容易ならしめることができる。使用においては、濯ぎの前に、汚れの除去を容易にするために、適当な量の水と洗剤が物品に所定時間接触することができる。複数の区分は、適当な量の水と洗剤に物品を浸漬する複数の衣類ハンガとして、又は個々の物品を収容するための複数の区画を有するバスケットとして設けることができる。
【００２９】
本発明による物品を洗濯する方法と装置は、先に概説した問題に少なくとも取り組むものと信じられる。特に、本発明の利点は、洗濯物を撹拌するための回転するドラム又はその他の機械的装置が無いから、容量を大きくした開放収容体を可能とすることである。個々の物品を収容するための複数の区分を有する収容体を設けることによって、汚れの除去を急速に行うのを容易ならしめるために、溶解した洗剤が物品に接触するようにすることができる。このようにして、物品は個々に保持されるから、先行技術の洗濯機に通常伴っていた皺は顕著に減少する。また、回転要素が無いので、振動や不要な動きを抑えるための重い平行錘を設ける必要が除かれ、また、このようであるから、本発明は軽量材料により構成することができ、床面高さよりも高く設置することができる。このようであるから、標準の装置寸法又は形が無く、よって、本発明は浴室又はホテルの部屋であり得る実際の使用場所に配置されることができる。本発明は水を効果的かつ効率的に使用し、水加熱時間及びコストも減少する。
【００３０】
本発明は変更例が可能であることは当業者に明らかであろう。また本発明はここに特に述べた以外に使用できるものとする。
【発明を実施するための最良の形態】
【００３１】
本発明の非制限実施例を、添付図面を参照して、例として述べる。図面において：
【００３２】
図１は本発明による物品を洗濯する装置の斜視図を表し；
【００３３】
図２は収容体内に配置したスプレイ分配ノズルの構成の詳細図を示し；
【００３４】
図３は本発明による物品を洗濯する装置の後部の側面図を表し；
【００３５】
図４は本発明による装置の後部からの斜視切断図を示し；
【００３６】
図５は本発明による装置の前部からの斜視切断図を表し；
【００３７】
図６は、図１ないし５に示されるスプレイ分配ノズルの詳細図を示し；また
【００３８】
図７は洗濯および／または乾燥サイクル中に個々の衣服を懸架するのに使用される洗濯用ハンガの詳細図を表す。
【００３９】
図面を参照すると、図１ないし５は本発明の実施例を示し、それらは物品及び衣服を洗濯する装置１００を示す。図１に示すように、洗濯装置１００は多数の衣服（図示せず）を保持し得る少なくとも一つの収容体２９又は容器を有してなる。収容体２９への使用者のアクセスは扉３０を通じる。
【００４０】
図３及び４において最も明瞭に見られるように、本発明は、衣服の洗濯を容易ならしめるために適当な量の水と洗剤を供給する水回路を含む。その後、奇麗にされた衣服は一連の濯ぎサイクルを受ける。装置１００は冷水注入口１０を含み、また適当であれば、温水源が温水注入口９に接続され得る。冷水注入口１０と温水注入口９は水濾過マニホルド６へ接続され、水濾過マニホルド６は多数の注入口及び出口を有する。水濾過マニホルド６の一つの注入口へ、適当な石鹸ディスペンサ弁１４を持つ石鹸ディスペンサ１２を含む石鹸トレイ１３が接続されている。使用においては、制御装置（図示せず）又はその他の制御ユニットが、正しいレベルの洗濯媒体が洗濯サイクルの間に水濾過マニホルド６へ供給されることを確実にする。
【００４１】
制御ユニット（図示せず）はまたここに述べた水回路を制御する。明確に言うと各種の弁、センサ、アクチュエ−タが回路に含まれていることは当業者に理解されようが、これらは特に述べない。上述のように、好ましくは清浄水が冷水注入口１０と温水注入口９を介して二つの源から取り込まれ、あるいは収容体２９の下に設けられたコレクタ５から再循環される。水がいずれの源から取り込まれても、水の温度はセンサ（図示せず）により連続的に計測され、また何れかの水の加熱が要求されると、適切な弁（図示せず）が開閉されて、水は回路に再入する前にウオ−タヒ−タ１を通る。ウオ−タヒ−タ１は従来の素子又はその他の加熱手段、例えばマイクロウエ−ブヒ−タを用いて設けることができる。
【００４２】
水を水回路において動かすことは、水濾過マニホルド６の基部に配置した逆止弁３を含む水ポンプ４により行われる。洗濯サイクル中、ウオ−タヒ−タ１から所望の温度で供給された水は次いで水濾過マニホルド６で適当な量の洗剤と混合され、水マニホルド２へポンプ輸送され、次いで水マニホルド２は水と洗濯媒体の混合物を、収容体２９内に配置した多数のスプレイ分配ノズル１５、１６へ供給する。
【００４３】
図１及び２に明示されるように、複数のオーバーヘッドスプレイ分配ノズル１５が収容体２９の頂部に配置され、また衣類ハンガ２６上のシャツ、ブラウス又はプルオーバー若しくはセーターのような衣服のわきの下が位置する可能性がある場所のほぼ近傍に複数のサイドスプレイ分配ノズル１６が配置される。オーバーヘッドスプレイ分配ノズル１５の位置は、また、汚れや垢が蓄積する可能性が最も大きい衣服の部域（即ち、首や肩のまわり）に水と洗濯媒体の混合物がふんだんに供給されることを確実にする。スプレイ分配ノズル１５、１６の更なる詳細は図６に示される。
【００４４】
洗濯サイクルの終わりに、再び制御手段（図示せず）の制御のもとに、ドレン孔２８を介して集められた廃水を除去する廃水ポンプ７が作動され、この廃水が廃水流出管８を経てドレンへポンプ輸送される。
【００４５】
使用において、作業者は扉３０を介して装置１００に装填し、制御パネル２７を用いてサイクルの選択を行う。サイクルの選択は多機能ディスプレイ（図示せず）により確認され、次いでかかる洗濯サイクルが制御ユニット（図示せず）により順次実行される（sequenced）。洗濯物の重量は衣類ハンガ２６を吊るすバランスレール１１により計測され得るものとすることもできる。これは、歪ゲージ又はその他の変換器を用いて実現され得るものであり、制御ユニット（図示せず）により、洗濯物の重量に対し最適な水及び洗剤の量が算定され得る。一実施例において、洗濯媒体の正しいレベルが、ディスペンサトレイ１３において負荷線指示器を用いて作業者に指示され、あるいは、自動的に決まる量の洗濯媒体が、石鹸ディスペンサ弁１４を経て供給されることができる。
【００４６】
図１と２に示すように、個々の物品を収容する複数の区分を有する開放収容体２９が設けられている。使用において、複数の区分は、濯ぎと乾燥の前に汚れの除去を容易ならしめるように適当な量の水と洗剤が物品に所定時間接触し得るよう洗濯する物品が吊り下げられる複数の衣類ハンガ２６として設けられている。あるいは、適当な量の水と洗剤に物品を浸漬することも可能であること、又は個々の物品を収容するための複数の区画を有するバスケットを設けることが可能であることは当業者に理解されよう。このようにして、洗濯する物品は一連の濯ぎ乾燥サイクルを受ける前に溶解洗浄媒体にある時間浸漬され得る。
【００４７】
衣類ハンガ２６とハンガマウント２５の更なる詳細は図７に示されている。
所定サイクルの洗濯と濯ぎの後に、本発明は乾燥サイクルを提供する。乾燥中に、収容体２９内の空気の圧力、温度、湿度は洗濯物品が効率的に乾くように制御される。図３−５に示すように、乾燥回路はエアヒ−タ２２、分配ファン２３、及び空気を収容体２９内で循環させる除湿ユニット１８を基本的に（essentially）有してなる。基本的に、除湿器１８からの除湿空気は、ファン２３を用いて空気ダクト１９を通じて引き込まれ、ヒ−タ素子２２を通る。次いで加熱空気は収容体２９の底部に向けて配置された散気装置(air diffuser)２４を通じて収容体２９へ吹き込まれる。除湿加熱空気は衣類ハンガ２６に吊り下げられた洗濯物品に接触し得、収容体２９の頂部に位置する通気口１７を経て除湿ユニット１８へ戻る。
【００４８】
次いで空気は二つの源から取り入れることができる；通気口１７を経て再循環され、又は収容体２９の頂部に設けられた外部空気取入ファン２０からである。いずれの源からの空気の温度と湿度も温度と湿度のセンサ（図示せず）により計測される。かかる温度と湿度はサイクルの間に空気を除湿器１８とエアヒ−タ２２に通すことにより、再循環の前に変えることができる。
【００４９】
循環に続いて、空気中の水分は除湿器１８により除去される。その凝縮水は重力によりダクト１９を流下し、凝縮器廃棄管２１を経て汚水収集器５へ流入する。使用において、制御ユニット（図示せず）は全ての空気弁を適宜調節する。衣服は個々に洗濯され乾燥されるから、先行技術の洗濯機に伴っていた皺は顕著に減少し、衣服は骨の折れる、時間のかかるアイロン掛け無しに直ちに着用できる。
【００５０】
使用において、収容体２９に入れた物品の極近傍に汚れ検出装置（図示せず）を配置することも考えられる。汚れ検出装置は洗濯物品上の各種タイプの汚れ又はしみを、汚れ粒子の大きさ、化学分析又はその他の透過および／または反射パラメータのような特性から識別できるものである。汚れ検出装置の出力は制御ユニットへ供給され、次いで制御ユニットは好適な洗剤とその濃度を決める。
【００５１】
スプレイ分配ノズル１５・１６の更なる詳細が図６に示され、スプレイ分配ノズルは洗濯物品の上方及び側方に配置されている。本質的に、各ノズルは、表面に種々の開口が配置され、上述のように、水および／または水と洗濯媒体を上方及び側方から衣服にスプレイし又は指向させるのに使用される細長い管状部材を有してなる。
【００５２】
図７は収容体２９内に個々の物品を収容するのに使用される衣類ハンガ２６の更なる詳細を示す。使用において、衣類ハンガ２６はハンガレール１１への取り付けを容易にするためのハンガマウント２５を有する。衣類ハンガ２６は、それ自体と衣服との接触面積を最小ならしめるためにその表面に複数の開口が位置しており、開口が無ければ衣服の効率的な洗濯と乾燥が妨げられ得る。
【００５３】
発明の範囲から離れない限り、様々な変更及び変形が本発明に対し行われてもよい。例えば、実施例は家庭用の機器について言及しているが、これは限定を意図するものではなく、使用において、本発明は商業用又は産業用の洗濯機として、あるいはコインランドリにおけるコイン式の洗濯機として実施できる。
【図面の簡単な説明】
【００５４】
【図１】本発明による物品を洗濯する装置の斜視図を表す。
【図２】収容体内に配置したスプレイ分配ノズルの構成の詳細図を示す。
【図３】本発明による物品を洗濯する装置の後部の側面図を表す。
【図４】本発明による装置の後部からの斜視切断図を示す。
【図５】本発明による装置の前部からの斜視切断図を表す。
【図６】図１ないし５に示されるスプレイ分配ノズルの詳細図を示す。
【図７】洗濯および／または乾燥サイクル中に個々の衣服を懸架するのに使用される洗濯用ハンガの詳細図を表す。
【図１】
2008543407.tif 000003
【図２】
2008543407.tif 000004
【図３】
2008543407.tif 000005
【図４】
2008543407.tif 000006
【図５】
2008543407.tif 000007
【図６】
2008543407.tif 000008
【図７】
2008543407.tif 000009
【国際調査報告】
2008543407.tif 000010
2008543407.tif 000011